(57)【要約】【課題】ランドプリピットブロックの全体のビット数を削減すると、１つの情報を取得するためのトレース長が長くなり、取得データの正誤を判定するためには、更にトレース長を長くとらなければならず、サーチなどでデータの取得が困難となる課題が生じる。【解決手段】ランドプリピットブロックは、プリピットデータブロックの略中央の”９”〜”１１”のビット位置に識別情報を配置した点に特徴がある。光ディスク装置は、プリピット同期信号と識別情報との間で再生された情報を第１の記録情報と認識し、また、識別情報と次のプリピット同期信号との間で再生された情報を第２の記録情報として認識することができる。識別情報を、第１の記録情報と第２の記録情報の識別に共用するようにしたため、一つの記録情報を取得するためのトレース長と同一の１３ビットであり、しかもランドプリピットブロックの全体のビット数を従来の構成よりも削減することができる。【選択図】図２
2008299987.tif 000002
【特許請求の範囲】
【請求項１】
同期情報と共にｎ種類（ｎは２以上の自然数）の記録情報を予め定めた固定長のブロック単位で記録媒体に記録する情報記録方法であって、
前記同期情報の最後の位置に続いて前記ｎ種類のうちの（ｎ−ｍ）種類（ｍはｎより小なる１以上の自然数）の記録情報を多重する第１のステップと、
前記第１のステップで多重された前記（ｎ−ｍ）種類の記録情報の最後の種類の記録情報の最後の位置に続いて、所定の情報の識別のための識別情報を多重する第２のステップと、
前記第２のステップで多重された前記識別情報の最後の位置に続いて、前記ｎ種類のうちの残りのｍ種類の記録情報を多重して前記固定長のブロックを構成する第３のステップと、
前記第３のステップで得られた多重情報を前記記録媒体に記録する第４のステップと
を含み、前記固定長のブロックの中間位置に前記識別情報を配置して記録することを特徴とする情報記録方法。
【請求項２】
同期情報と共にｎ種類（ｎは２以上の自然数）の記録情報を予め定めた固定長のブロック単位で記録媒体に記録する情報記録方法であって、
前記同期情報の最後の位置に続いて前記ｎ種類のうちの（ｎ−ｍ）種類（ｍはｎより小なる１以上の自然数）の記録情報を多重する第１のステップと、
前記記録情報の種類の識別のための識別情報と前記（ｎ−ｍ）種類の記録情報とからなる符号語の第１の誤り検出訂正符号を生成する第２のステップと、
前記第１のステップで多重された前記（ｎ−ｍ）種類の記録情報の最後の種類の記録情報の最後の位置に続いて、前記第１の誤り検出訂正符号を多重する第３のステップと、
前記第３のステップで多重された前記第１の誤り検出訂正符号の最後の位置に続いて、前記識別情報を多重する第４のステップと、
前記第４のステップで多重された前記識別情報の最後の位置に続いて、前記ｎ種類のうちの残りのｍ種類の記録情報を多重する第５のステップと、
前記ｍ種類の記録情報と前記識別情報とからなる符号語の第２の誤り検出訂正符号を生成する第６のステップと、
前記第５のステップで多重された前記ｍ種類の記録情報の最後の位置に続いて、前記第２の誤り検出訂正符号を多重して前記固定長のブロックを構成する第７のステップと、
前記第７のステップで得られた多重情報を前記記録媒体に記録する第８のステップと
を含み、前記固定長のブロックの中間位置に前記識別情報を配置して記録することを特徴とする情報記録方法。
【請求項３】
前記固定長のブロック内の前記識別情報より前の多重位置にある第１の多重情報と前記識別情報とからなる符号語は第１の線形巡回訂正符号を構成し、前記固定長のブロック内の前記識別情報より後の多重位置にある第２の多重情報と前記識別情報とからなる符号語は第２の線形巡回訂正符号を構成していることを特徴とする請求項１又は２記載の情報記録方法。
【請求項４】
同期情報と共にｎ種類（ｎは２以上の自然数）の記録情報を予め定めた固定長のブロック単位で記録媒体に記録する情報記録装置であって、
前記同期情報を生成する同期情報生成手段と、
所定の情報の識別のための識別情報を生成する識別情報生成手段と、
前記同期情報生成手段からの前記同期情報の最後の位置に続いて前記ｎ種類のうちの（ｎ−ｍ）種類（ｍはｎより小なる１以上の自然数）の記録情報を多重し、前記（ｎ−ｍ）種類の記録情報の最後の種類の記録情報の最後の位置に続いて、前記識別情報生成手段からの前記識別情報を多重し、前記識別情報の最後の位置に続いて、前記ｎ種類のうちの残りのｍ種類の記録情報を多重して前記固定長のブロックを構成する多重手段と、
前記多重手段で得られた多重情報を前記記録媒体に記録する記録手段と
を有し、前記固定長のブロックの中間位置に前記識別情報を配置して記録することを特徴とする情報記録装置。
【請求項５】
同期情報と共にｎ種類（ｎは２以上の自然数）の記録情報を予め定めた固定長のブロック単位で記録媒体に記録する情報記録装置であって、
前記同期情報を生成する同期情報生成手段と、
所定の情報の識別のための識別情報を生成する識別情報生成手段と、
前記識別情報と前記（ｎ−ｍ）種類（ｍはｎより小なる１以上の自然数）の記録情報とからなる符号語の第１の誤り検出訂正符号を生成すると共に、前記ｎ種類のうちの残りのｍ種類の記録情報と前記識別情報とからなる符号語の第２の誤り検出訂正符号を生成する誤り検出訂正符号生成手段と、
前記同期情報の最後の位置に続いて前記（ｎ−ｍ）種類の記録情報を多重し、その（ｎ−ｍ）種類の記録情報の最後の種類の記録情報の最後の位置に続いて、前記第１の誤り検出訂正符号を多重し、その第１の誤り検出訂正符号の最後の位置に続いて、前記識別情報を多重し、その識別情報の最後の位置に続いて、前記ｍ種類の記録情報を多重し、そのｍ種類の記録情報の最後の位置に続いて、前記第２の誤り検出訂正符号を多重して前記固定長のブロックを構成する多重手段と、
前記多重手段で得られた多重情報を前記記録媒体に記録する記録手段と
を有し、前記固定長のブロックの中間位置に前記識別情報を配置して記録することを特徴とする情報記録装置。
【請求項６】
前記固定長のブロック内の前記識別情報より前の多重位置にある第１の多重情報と前記識別情報とからなる符号語は第１の線形巡回訂正符号を構成し、前記固定長のブロック内の前記識別情報より後の多重位置にある第２の多重情報と前記識別情報とからなる符号語は第２の線形巡回訂正符号を構成していることを特徴とする請求項４又は５記載の情報記録装置。
【発明の詳細な説明】
【技術分野】
【０００１】
本発明は情報記録方法及び情報記録装置に係り、特に同期情報と共に複数種類の情報を光ディスク等の記録媒体に記録する情報記録方法及び情報記録装置に関する。
【背景技術】
【０００２】
近年、記録媒体として広く普及している光ディスクとして、図１０の一部拡大平面模式図に示すような、ランドプリピットを記録した光ディスクが知られている。この光ディスクは、図１０に示すように、アドレス情報の読み取りや光ディスクの回転制御を正確に行うために、トラック方向に対して微小振幅でその側壁が蛇行（ウォブル）させて形成された情報記録再生用のグルーブ（溝）と、グルーブとは高さが異なって形成されたランドとが、ディスク半径方向に交互に形成されると共に、これらグルーブとランドとの組は、螺旋状又は同心円状のトラックを形成している。そして、ランドにはトラック方向にウォブル周期で隣接するｂ０、ｂ１及びｂ２の３つのランドプリピットを一組として補助情報がディスク製造段階で予め記録されている。ランドプリピットはｂ２，ｂ１，ｂ０の順で記録再生される。
【０００３】
ここで、ランドプリピットｂ０、ｂ１及びｂ２の位置にピットが形成されている場合を「１」、形成されていない場合を「０」とすると、図１１に示すように、ランドプリピットｂ０、ｂ１及びｂ２により４種類のコードデータのいずれか一の種類のコードデータを記録できるようにされている。なお、図１０中、実線はランドプリピットが記録されている状態、破線は記録されていない状態を模式的に示している。また、図１１から分かるように、ランドプリピットｂ２は、４種類のコードデータのいずれの場合も必ず記録されており、また、プリピットｂ１が「１」のときは同期情報であり、「０」のときはプリピットデータであることを示し、プリピットｂ０によりビット値が「１」か「０」かを示す。
【０００４】
また、上記の光ディスクは、グルーブに記録再生される情報が図１２（Ａ）に模式的に示すように、ｎ＋１個（ｎは例えば３１）の固定長のセクタからなる誤り訂正符号（ＥＣＣ）ブロック単位で記録再生されるようになされており、この各セクタの記録位置に対応したランドには図１２（Ｂ）に模式的に示すようにｂ２，ｂ１，ｂ０の３つのプリピット一組からなる１ビットのプリピット同期信号と、１２組の１２ビットのプリピットデータとからなる計１３ビットのデータがプリピットにより記録されている。
【０００５】
記録又は再生時の上記の光ディスク上に照射する光ビームのスポットは、図１０にＳで示され、走査すべき１本のグルーブの両側に位置するランド上のランドプリピットは、スポットＳの反射光を所定の構成の光検出器（例えば、４分割光検出器）で光電変換して得られた再生信号中から所定の演算によりその検出信号が得られる。更に、走査すべき１本のグルーブの一方の側のランドのプリピット検出出力から他方の側のランドのプリピット検出出力を差し引くことにより、一方のランドからのランドプリピット検出信号は正極性で得られ、他方のランドからのランドプリピット検出信号は負極性で得られることから、ランドの識別が可能である。
【０００６】
さて、上記のランドプリピットを記録した光ディスクにおいて、連続する１６個の各セクタをフレームナンバー”０”〜”１５”で表し、また、各セクタに対応するプリピットによる上記の１３ビットのデータ（シンクブロック）のビット位置を先頭の１ビットのプリピット同期信号のビット位置を”０”とし、以降最下位ビット（ＬＳＢ）位置方向に順に”１”〜”１２”で表すものとすると、従来のＲＷ型のＤＶＤ(Digital Versatile Disk)では、図１３に示すように定められている（例えば、非特許文献１参照）。
【０００７】
図１３に示す連続する１６個のセクタに対応するランドプリピットブロックは、１６個のプリピットデータブロックからなり、各プリピットデータブロックには、１ビットのプリピット同期信号（シンクコード；Pre-pit SYNC Code）に続いて、ビット位置”１”〜”４”の４ビットにはランドプリピットブロック内のアドレスが記録され、その後のビット位置”５”〜”１２”にはランドプリピットブロックアドレスで決められる情報（ＥＣＣブロックアドレス、パリティ、フィールドＩＤなど）が記録される。
【０００８】
例えば、ランドプリピットブロック内のアドレス（００００）と（０１１１）の各プリピットデータブロックには、ＥＣＣブロックアドレスの第１番目のバイトの値がそれぞれ記録される。なお、上記のシンクコードは、図１１に示したプリピット同期信号１又はプリピット同期信号２のいずれか一方であるが、ランドプリピットブロック単位でこれらのランドプリピット同期信号を交互に記録するようにしてもよい。
【０００９】
しかしながら、図１３のランドプリピットブロックは全体のビット数が多いため、全体のビット数の削減のために、図１４に示すようなプリピットデータブロック単位でランドプリピットを記録する方法も考えられる。これはランドプリピットブロック内のアドレスのビット数を削減すると共に、各プリピットデータブロックに２バイトの情報を配置するようにしたもので、８つの各プリピットデータブロックのそれぞれを２１ビットとし、先頭の１ビットのプリピット同期信号（シンクコード； SYNC Code）に続いて、ビット位置”１”〜”３”の３ビットには各プリピットデータブロック内のアドレスが記録され、その後のビット位置”４”〜”２０”には２バイトの情報が記録される。これにより、図１３では全体のビット数が２０８ビットであったのに対し、図１４では図１３と同じビット数の情報を記録するために全体のビット数を１６８ビットに削減することができる。
【００１０】
【非特許文献１】Standard ECMA-338,"80mm(1,46 Gbytes per side) and 120mm(4,70 Gbytes per side)DVD Re-recordable Disk(DVD-RW)"
【発明の開示】
【発明が解決しようとする課題】
【００１１】
しかしながら、図１４に示したようなランドプリピットブロックの構成とした場合は、全体のビット数は図１３に比べて削減することができるが、１つの情報を取得するためのトレース長が１２ビットから２０ビットと略２倍に長くなるという欠点がある。また、取得データの正誤を判定するためには、図１４の場合は更にトレース長を長くとらなければならないという欠点がある。ここで、トレース長が長いと、サーチする場合などでデータの取得が困難となる欠点が生じる。
【００１２】
また、図１３や図１４に示したようなランドプリピットブロックの構成では、パリティのエンドバイトまで連続的に読み出して全てのデータを取得しなければＥＣＣブロックアドレスの正誤判定ができなかったため、アドレス判定までに時間がかかり、これは特にサーチ時において問題である。
【００１３】
本発明は以上の点に鑑みなされたもので、全体のビット数を削減し、かつ、１つのデータを取得するためのトレース長を従来と同一とし得る情報記録方法及び情報記録装置を提供することを目的とする。
【００１４】
また、本発明の他の目的は、効率良く訂正符号を付加し得る情報記録方法及び情報記録装置を提供することにある。
【００１５】
更に、本発明の他の目的は、サーチ時のアドレス判定に好適な情報記録方法及び情報記録装置を提供することにある。
【課題を解決するための手段】
【００１６】
上記の目的を達成するため、本発明の情報記録方法は同期情報と共にｎ種類（ｎは２以上の自然数）の記録情報を予め定めた固定長のブロック単位で記録媒体に記録する情報記録方法であって、
同期情報の最後の位置に続いてｎ種類のうちの（ｎ−ｍ）種類（ｍはｎより小なる１以上の自然数）の記録情報を多重する第１のステップと、第１のステップで多重された（ｎ−ｍ）種類の記録情報の最後の種類の記録情報の最後の位置に続いて、所定の情報の識別のための識別情報を多重する第２のステップと、第２のステップで多重された識別情報の最後の位置に続いて、ｎ種類のうちの残りのｍ種類の記録情報を多重して固定長のブロックを構成する第３のステップと、第３のステップで得られた多重情報を記録媒体に記録する第４のステップとを含み、固定長のブロックの中間位置に識別情報を配置して記録することを特徴とする。
【００１７】
また、上記の目的を達成するため、本発明の情報記録装置は同期情報と共にｎ種類（ｎは２以上の自然数）の記録情報を予め定めた固定長のブロック単位で記録媒体に記録する情報記録装置であって、
同期情報を生成する同期情報生成手段と、所定の情報の識別のための識別情報を生成する識別情報生成手段と、同期情報生成手段からの同期情報の最後の位置に続いてｎ種類のうちの（ｎ−ｍ）種類（ｍはｎより小なる１以上の自然数）の記録情報を多重し、（ｎ−ｍ）種類の記録情報の最後の種類の記録情報の最後の位置に続いて、識別情報生成手段からの識別情報を多重し、識別情報の最後の位置に続いて、ｎ種類のうちの残りのｍ種類の記録情報を多重して固定長のブロックを構成する多重手段と、多重手段で得られた多重情報を記録媒体に記録する記録手段とを有し、固定長のブロックの中間位置に識別情報を配置して記録することを特徴とする。
【００１８】
上記の情報記録方法及び情報記録装置では、固定長のブロック内の識別情報より前の多重位置にある（ｎ−ｍ）種類の記録情報と識別情報とからなる符号語を再生させ、固定長のブロック内の識別情報より後の多重位置にあるｎ種類の記録情報と識別情報とからなる符号語を再生させることができる。
【００１９】
また、上記の目的を達成するため、本発明の情報記録方法は同期情報と共にｎ種類（ｎは２以上の自然数）の記録情報を予め定めた固定長のブロック単位で記録媒体に記録する情報記録方法であって、
同期情報の最後の位置に続いてｎ種類のうちの（ｎ−ｍ）種類（ｍはｎより小なる１以上の自然数）の記録情報を多重する第１のステップと、記録情報の種類の識別のための識別情報と（ｎ−ｍ）種類の記録情報とからなる符号語の第１の誤り検出訂正符号を生成する第２のステップと、第１のステップで多重された（ｎ−ｍ）種類の記録情報の最後の種類の記録情報の最後の位置に続いて、第１の誤り検出訂正符号を多重する第３のステップと、第３のステップで多重された第１の誤り検出訂正符号の最後の位置に続いて、識別情報を多重する第４のステップと、第４のステップで多重された識別情報の最後の位置に続いて、ｎ種類のうちの残りのｍ種類の記録情報を多重する第５のステップと、ｍ種類の記録情報と識別情報とからなる符号語の第２の誤り検出訂正符号を生成する第６のステップと、第５のステップで多重されたｍ種類の記録情報の最後の位置に続いて、第２の誤り検出訂正符号を多重して固定長のブロックを構成する第７のステップと、第７のステップで得られた多重情報を記録媒体に記録する第８のステップとを含み、固定長のブロックの中間位置に識別情報を配置して記録することを特徴とする。
【００２０】
また、上記の目的を達成するため、本発明の情報記録装置は、同期情報と共にｎ種類（ｎは２以上の自然数）の記録情報を予め定めた固定長のブロック単位で記録媒体に記録する情報記録装置であって、同期情報を生成する同期情報生成手段と、所定の情報の識別のための識別情報を生成する識別情報生成手段と、識別情報と（ｎ−ｍ）種類（ｍはｎより小なる１以上の自然数）の記録情報とからなる符号語の第１の誤り検出訂正符号を生成すると共に、ｎ種類のうちの残りのｍ種類の記録情報と識別情報とからなる符号語の第２の誤り検出訂正符号を生成する誤り検出訂正符号生成手段と、同期情報の最後の位置に続いて（ｎ−ｍ）種類の記録情報を多重し、その（ｎ−ｍ）種類の記録情報の最後の種類の記録情報の最後の位置に続いて、第１の誤り検出訂正符号を多重し、その第１の誤り検出訂正符号の最後の位置に続いて、識別情報を多重し、その識別情報の最後の位置に続いて、ｍ種類の記録情報を多重し、そのｍ種類の記録情報の最後の位置に続いて、第２の誤り検出訂正符号を多重して固定長のブロックを構成する多重手段と、多重手段で得られた多重情報を記録媒体に記録する記録手段とを有し、固定長のブロックの中間位置に識別情報を配置して記録することを特徴とする。
【００２１】
本発明の情報記録方法及び情報記録装置では、固定長のブロック内の識別情報より前の多重位置にある（ｎ−ｍ）種類の記録情報と第１の誤り検出訂正符号と識別情報とからなる符号語を誤り検出訂正させ、固定長のブロック内の識別情報より後の多重位置にあるｍ種類の記録情報と識別情報と第２の誤り検出訂正符号からなる符号語を誤り検出訂正させることができる。
【００２２】
また、上記の目的を達成するため、本発明の情報記録方法及び情報記録装置は、固定長のブロック内の識別情報より前の多重位置にある第１の多重情報と識別情報とからなる符号語は第１の線形巡回訂正符号を構成し、固定長のブロック内の識別情報より後の多重位置にある第２の多重情報と識別情報とからなる符号語は第２の線形巡回訂正符号を構成していることを特徴とする。
【発明の効果】
【００２３】
本発明によれば、固定長のブロック内の識別情報より前の多重位置にある（ｎ−ｍ）種類の記録情報と識別情報とからなる符号語を再生させ、固定長のブロック内の識別情報より後の多重位置にあるｎ種類の記録情報と識別情報とからなる符号語を再生させることができるため、従来と同じビット数からなる符号語のトレース長で１つの記録情報を再生させることができると共に、識別情報が２つの符号語の再生に共用できるため、識別情報のビット数を減らし、全体のビット数を削減した構成とすることができる。
【００２４】
また、本発明によれば、固定長のブロック内の識別情報より前の多重位置にある（ｎ−ｍ）種類の記録情報と第１の誤り検出訂正符号と識別情報とからなる符号語を誤り検出訂正でき、固定長のブロック内の識別情報より後の多重位置にあるｍ種類の記録情報と識別情報と第２の誤り検出訂正符号からなる符号語を誤り検出訂正できるようにしたため、１つの記録情報を得るためのトレース長がそれほど長くならずに、記録情報の取得と誤り検出訂正による正誤判定とが可能となり、効率良く訂正符号を付加でき、また、記録情報がアドレスの場合は特にサーチ時のアドレス判定に好適である。
【発明を実施するための最良の形態】
【００２５】
次に、本発明を実施するための最良の形態について図面と共に詳細に説明する。図１は本発明になる情報記録装置の第１の実施の形態のブロック図、図２は図１により記録されたランドプリピットブロックの一実施の形態の構成を示す。図１において、まず、同期生成手段１１は１ビットのプリピット同期信号（シンクコード）を発生して加算器１４に供給する。続いて、１バイトの第１の記録情報が入力端子１２を介して加算器１４に供給される。
【００２６】
続いて、情報識別情報生成手段１３により発生された記録情報の種類を識別するための３ビットの識別情報が加算器１４に供給される。この識別情報はアドレス情報であっても構わない。そして、１バイトの第２の記録情報が入力端子１２を介して加算器１４に供給される。以下、上記の順番で加算器１４への信号入力がプリピットデータブロック単位で８回繰り返される。
【００２７】
これにより、加算器１４からは図２に示すように、８プリピットデータブロックで１ランドプリピットブロックを構成し、各プリピットデータブロックには、１ビットのプリピット同期信号（シンクコード； SYNC Code）に続いて、ビット位置”１”〜”８”の８ビットには第１の記録情報（ＥＣＣブロックアドレス、パリティ、フィールドＩＤなど）が配置され、続くビット位置”９”〜”１１”の３ビットにはランドプリピットブロック内のアドレスとして用いられる識別情報が配置され、その後のビット位置”１２”〜”２０”の８ビットには第２の記録情報（ＥＣＣブロックアドレス、パリティなど）が配置された信号が取り出される。
【００２８】
図１に戻って説明する。加算器１４から取り出された信号は、記録変調手段１５に供給され、ここで所定の変調方式で変調されて所定のフォーマットの信号とされた後、記録手段１６により光ディスクのランドに図１０、図１１と共に説明したようにランドプリピットとして記録される。１つのランドプリピットブロックからなる全体のビット数が図１３の従来例では２０８ビットであったのに対し、本実施の形態では、図２に示したように、各々２１プリピットデータからなる８つのプリピットデータブロックによる１６８ビットで構成することができ、全体のビット数を削減することができる。ここで、本実施の形態は、プリピットデータブロックの略中央のビット位置”９”〜”１１”の３ビットに識別情報を配置した点に特徴があり、これにより後述するように、１つのデータを取得するためのトレース長を図１３に示した従来の構成と略同一としても、全体のビット数を削減できるようにしたものである。
【００２９】
この実施の形態によりランドプリピットが記録された光ディスクは、図３に示すようにランドプリピットが再生される。すなわち、まず、図２に示したように或るプリピットデータブロックの先頭の１ビットのプリピット同期信号（Ｓ.Ｃ）４１が再生され、続いて、ビット位置”１”〜”８”の第１の記録情報４２、ビット位置”９”〜”１１”の３ビットの識別情報４３、ビット位置”１２”〜”２０”の第２の記録情報４４、次のプリピットデータブロックの先頭の１ビットのプリピット同期信号（Ｓ.Ｃ）４５、・・・の順で再生される。
【００３０】
ここで、光ディスク装置は、プリピット同期信号（Ｓ.Ｃ）４１と識別情報４３の各値は既知であるので、プリピット同期信号（Ｓ.Ｃ）４１から識別情報４３までの間の再生情報Ａにおけるプリピット同期信号（Ｓ.Ｃ）４１と識別情報４３との間で再生された情報４２を第１の記録情報と認識し、また、識別情報４３から次のプリピットデータブロックのプリピット同期信号（Ｓ.Ｃ）４５までの間の再生情報Ｂにおける識別情報４３とプリピット同期信号（Ｓ.Ｃ）４５との間で再生された情報４４を第２の記録情報として認識することができる。
【００３１】
このように、本実施の形態によれば、ランドプリピットブロック内のアドレスなどとして本来用いられる識別情報４３を、第１の記録情報４２と第２の記録情報４４の識別に共用するようにしたため、一つの記録情報４２又は４４を取得するためのトレース長は再生情報Ａ、Ｂを再生するトレース長、すなわち図１３に示した従来の構成におけるトレース長と略同一の１２ビットであり、しかもランドプリピットブロックの全体のビット数を図１３の構成よりも削減することができる。
【００３２】
次に、本発明の第２の実施の形態について説明する。図４は本発明になる情報記録装置の第２の実施の形態のブロック図、図５は図４により記録されたランドプリピットブロックの一実施の形態の構成を示す図、図６は図４中の訂正符号生成手段２２の一例の回路系統図、図７は図６の動作説明用タイミングチャートを示す。図４に示すように、本実施の形態の情報記録装置は、同期生成手段２１、訂正符号生成手段２２、加算器２３、記録変調手段２４及び記録手段２５から構成されている。図４において、まず、同期生成手段２１は１ビットのプリピット同期信号（シンクコード）を発生して加算器２３に供給する。続いて、訂正符号生成手段２２により１バイトの第１の記録情報が出力された後、４ビットのその訂正符号（パリティ１）が出力され、更に３ビットの識別情報、１バイトの第２の記録情報、４ビットのその訂正符号（パリティ２）とが順次に出力されて、それぞれ加算器２３に供給される。以下、上記の順番で加算器２３への信号入力がプリピットデータブロック単位で８回繰り返される。
【００３３】
これにより、加算器２３からは図５に示すように、８プリピットデータブロックで１ランドプリピットブロックを構成し、２８ビットの各プリピットデータブロックには、１ビットのプリピット同期信号（シンクコード； SYNC Code）に続いて、ビット位置”１”〜”８”の８ビットには第１の記録情報（ＥＣＣブロックアドレス、パリティ、フィールドＩＤなど）が配置され、続くビット位置”９”〜”１２”の４ビットには第１の記録情報のパリティ１が配置され、続くビット位置”１３”〜”１５”の３ビットには記録情報の種類を特定するための識別情報が配置され、続くビット位置”１６”〜”２３”の１バイトには第２の記録情報が配置され、続くビット位置”２４”〜”２７”の４ビットには第２の記録情報のパリティ２が配置された信号が取り出される。なお、パリティ１は第１の記録情報と識別情報とからなる符号語の誤り検出訂正符号であり、パリティ２は第２の記録情報と識別情報とからなる符号語の誤り検出訂正符号である。
【００３４】
図４に戻って説明する。加算器２３から取り出された信号は、記録変調手段２４に供給され、ここで所定の変調方式で変調されて所定のフォーマットの信号とされた後、記録手段２５により光ディスクのランドに図１０、図１１と共に説明したようにランドプリピットとして記録される。本実施の形態では、図５に示したように、各プリピットデータブロックの略真ん中の位置に配置された３ビットの識別情報を、アドレス情報の替わりに記録情報の種類を特定するための情報として記録する点に特徴がある。これにより、必要な情報をどのようなシーケンスでも入れ込むことができる。
【００３５】
ここで、図４に示した訂正符号生成手段２２は、生成多項式Ｇ（ｘ）＝ｘ４＋ｘ＋１で生成されるハミング符号を生成する場合、図６に示す回路系統図のように、２入力ＮＡＮＤ回路３０、３８、３９、加算器３１、３４、２入力ＡＮＤ回路３２、１ビットレジスタ３３、３５〜３７から構成される。図６のＮＡＮＤ回路３０の一方の入力端子には、第１、第２の記録情報、識別情報が所定の順序で供給され、ＮＡＮＤ回路３０の他方の入力端子には制御信号ａが供給される。また、ＡＮＤ回路３２の一方の入力端子には加算器３１の出力信号が供給され、ＡＮＤ回路３２の他方の入力端子には制御信号ｃが供給される。更に、ＮＡＮＤ回路３８の一方の入力端子には１ビットレジスタ３７から出力された信号が供給され、ＮＡＮＤ回路３８の他方の入力端子には制御信号ｂが供給される。ＮＡＮＤ回路３０及び３８の各出力信号がＮＡＮＤ回路３９で否定論理積をとられた後、出力信号として出力される。
【００３６】
次に、この訂正符号生成手段２２の動作について図７のタイミングチャートと共に説明する。まず、図７（Ａ）、（Ｂ）に示す制御信号ａ、ｂがそれぞれローレベルの状態で制御信号ｃが同図（Ｂ）に示すようにアクティブ（ハイレベル）になると、記録情報の種類を特定するための識別情報が加算器３１及びＡＮＤ回路３２を介してクリアされたレジスタ３３に供給される。続いて、時間Ｔ１経過後、制御信号ａもアクティブになり、第１の記録情報が加算器３１及びＡＮＤ回路３２を介してレジスタ３３に供給されると共に、ＮＡＮＤ回路３０及び３９をそれぞれ通して出力される。
【００３７】
時間Ｔ２経過して第１の記録情報の入出力が終わると、制御信号ａ、ｃはそれぞれローレベルとされ、ＮＡＮＤ回路３０とＡＮＤ回路３２とをそれぞれ閉じると共に、制御信号ｂがアクティブとされることにより、レジスタ３３、３５〜３７、加算器３４、３１、ＡＮＤ回路３２からなる回路部により生成された第１の記録情報と識別情報との訂正符号（パリティ１）がＮＡＮＤ回路３８及び３９をそれぞれ通して出力される。
【００３８】
時間Ｔ３経過してパリティ１の出力が終わると、続いて図７（Ｂ）に示すように、制御信号ｂがローレベルとされてＮＡＮＤ回路３８を閉じると共に同図（Ａ）、（Ｃ）に示すように制御信号ａ、ｃが同時にアクティブにされ、再び記録情報の種類を識別するための識別情報が加算器３１及びＡＮＤ回路３２を介してレジスタ３３に供給されると共に、ＮＡＮＤ回路３０及び３９をそれぞれ通して出力される。
【００３９】
続いて、時間Ｔ４経過して識別信号が出力された後、第２の記録情報が加算器３１及びＡＮＤ回路３２を介してレジスタ３３に供給されると共に、ＮＡＮＤ回路３０及び３９をそれぞれ通して出力される。時間Ｔ５経過して第２の記録情報の入出力が終わると、制御信号ａ、ｃはそれぞれローレベルとされ、ＮＡＮＤ回路３０とＡＮＤ回路３２とをそれぞれ閉じると共に、制御信号ｂがアクティブとされることにより、レジスタ３３、３５〜３７、加算器３４、３１、ＡＮＤ回路３２からなる回路部により生成された第２の記録情報と識別情報との訂正符号（パリティ２）がＮＡＮＤ回路３８及び３９をそれぞれ通して期間Ｔ６の間出力される。
【００４０】
こうして、図５に示した情報順で、プリピット同期信号に続いて、訂正符号生成手段２２から１バイトの第１の記録情報、４ビットのパリティ１、３ビットの識別情報、１バイトの第２の記録情報、４ビットのパリティ２が順番に出力される。
【００４１】
この実施の形態によりランドプリピットが記録された光ディスクは、図８に示すようにランドプリピットが光ディスク装置により再生される。すなわち、まず、図８に示したように或るプリピットデータブロックの先頭の１ビットのプリピット同期信号（Ｓ.Ｃ）５１が再生され、続いて、図５のビット位置”１”〜”８”の第１の記録情報５２、ビット位置”９”〜”１２”の第１のパリティ５３、ビット位置”１３”〜”１５”の識別情報５４、ビット位置”１６”〜”２３”の第２の記録情報５５、ビット位置”２４”〜”２７”の第２のパリティ５６、次のプリピットデータブロックの先頭の１ビットのプリピット同期信号（Ｓ.Ｃ）５７、・・・の順で再生される。
【００４２】
ここで、図５のようなランドプリピットブロック構成で記録情報の種類を識別するための識別情報を第１、第２の記録情報と共に記録再生する方法では、識別情報の正誤判定をしなければ、第１、第２の記録情報の正誤判定ができないことは明白である。そこで、上記のパリティ情報（パリティ１、パリティ２）は、識別情報を含む形で生成されねばならないが、図５のように、プリピットデータブロック内の前の第１の記録情報と後の第２の記録情報とでは識別情報とパリティの位置が異なるため、通常は異なる符号生成回路、異なる符号誤り検出訂正回路が必要になる。
【００４３】
しかし、本実施の形態では、記録された記録情報とパリティの組はハミング符号の巡回置換となっており、光ディスク装置は上記光ディスクの再生時に、公知のハミング符号誤り検出訂正手段により、第１の記録情報５２、パリティ５３及び記録情報の種類を識別するための識別情報５４の組の誤りの検出訂正ができる。更に、記録情報の種類を識別するための識別情報５４、第２の記録情報５５、パリティ５６の組も同一のハミング誤り検出訂正手段により誤りの検出訂正ができる。このため、本実施の形態では、符号生成回路、符号誤り検出訂正回路を同一とすることができる。また、本実施の形態では、記録情報を取得するためのトレース長は１６ビット程度であり、従来に比べてそれほどトレース長が長くならずに、記録情報の取得、正誤判定が可能となるため、サーチ用のデータ記録方式として有用である。
【００４４】
このサーチ時の有用性について更に説明する。ＥＣＣブロックアドレスの取得のために、図１３や図１４に示したランドプリピットブロックの構成のように従来からＥＣＣブロックアドレスとパリティとが２重書きされている。従来の例えば図１３に示したランドプリピットブロック構成では、ＥＣＣブロックアドレスの正誤判定をするためには６フレーム（６プリピットデータブロック）の連続読み出しが必要であるのに対し、本実施例では、第１又は第２の記録情報と一つのパリティと１つの識別情報からなる１５ビットという、従来の１フレーム（１プリピットデータブロック）の１３ビットよりも若干多いビット数の読み出しで第１、第２の記録情報として記録されているＥＣＣブロックアドレスの正誤判定ができる。
【００４５】
従って、本実施の形態の図５に示したランドプリピットブロックの構成でも、ＥＣＣブロックアドレスとパリティとが２重書きされているが、これら情報のうち、エラーの無いバイト、訂正したバイト、その他のバイトの順で、ＥＣＣブロックアドレスの第一バイト（first byte of ECC block address）からパリティａの第三バイト（third byte of parity a）までの６バイトを再構成した後、更に訂正をかけることにより、より確実な、ＥＣＣブロックアドレス取得が可能となる。
【００４６】
一方、サーチ時のように、トラックジャンプをしても通常はＥＣＣブロックアドレスの上位バイトの値は変わらない。従来はパリティのエンドバイトまで全てのアドレスデータを取得しなければ、ＥＣＣブロックアドレスの正誤判定はできなかったが、本実施の形態では、１バイトの記録情報毎にパリティがついていて正誤判定ができ、また上記のようにより確実な、ＥＣＣブロックアドレス取得が可能であるので、ＥＣＣブロックアドレスの上位バイトはトラックジャンプ後にデータ取得ができなくても、以前に取得したデータが使用でき、本実施の形態はサーチ時のアドレス判定に好適である。
【００４７】
次に、本発明の他の実施の形態について説明する。以上の実施の形態は独立した同期情報（プリピット同期信号）を持つ記録装置及び記録方法についての実施の形態であったが、本実施の形態は、自己同期符号を用いたもので、自己同期符号として、下記のコンマフリー符号を用いるものである。
【００４８】
1,1,1,1,1,1,0、D1,D2,D3,D4,D5,0,D6,D7,D8、P1,P2,0,P3,P4、ID1,ID2,ID3、E1,E2,E3,E4,E5,E6,E7,E8、Q1,Q2,Q3,Q4
ここで、上記のコンマフリー符号において、先頭の７ビットの「1,1,1,1,1,1,0」は、固定パターンの同期情報であり、また、同期情報の後の６ビット目と１２ビット目がそれぞれ「０」であることが決まっている。また、上記のＤ１〜Ｄ８は第１の情報、Ｅ１〜Ｅ８は第２の情報、Ｐ１〜Ｐ４、Ｑ１〜Ｑ４はそれぞれパリティ、ＩＤ１〜ＩＤ３は記録情報の種類を識別するための識別情報のビットの値をそれぞれ示す。この例では最初の「１」からＰ２の次のビット位置の「０」まで、すなわち、「１１１１１１０、ＸＸＸＸＸ０、ＸＸＸＸＸ０」（ただし、Ｘは１，０を問わない）のビット値を検出することにより、同期情報を得ることができる。
【００４９】
ここで、上記のコンマフリー符号のような線形巡回訂正符号では、図９（Ａ）に示すように、識別情報ＩＤ６１、データ６２、パリティ６３の順で配列された符号語と、同図（Ｂ）に示すように、データ６２、パリティ６３、識別情報６１の順で配列された符号語とは、要素の配列順が異なるが同一の符号語であり、同一の誤り検出訂正手段により誤り検出訂正ができるという性質がある。
【００５０】
従って、上記のコンマフリー符号では、第１の情報Ｄ１〜Ｄ８、パリティＰ１〜Ｐ４、識別情報ＩＤ１〜ＩＤ３からなる図９（Ｂ）に示した配列の符号語と、識別情報ＩＤ１〜ＩＤ３、第２の情報Ｅ１〜Ｅ８、パリティＱ１〜Ｑ４からなる図９（Ａ）に示した配列の符号語とを、同一の誤り検出訂正手段により誤り検出訂正ができる。また、効率良く誤り訂正符号を付加することができる。
【００５１】
なお、本発明は以上の実施の形態に限定されるものではなく、例えば訂正符号はハミング符号に限らず、全ての巡回符号に本発明を適用できることは勿論である。また、本発明は、ランドプリピットの記録に限らず、任意の情報信号の記録にも適用可能であり、記録媒体は光ディスク以外の記録媒体にも適用可能である。
【図面の簡単な説明】
【００５２】
【図１】本発明の情報記録装置の第１の実施の形態のブロック図である。
【図２】図１により記録されたランドプリピットブロックの一実施の形態の構成図である。
【図３】図１により記録されたランドプリピットの再生情報の順番等を示す図である。
【図４】本発明の情報記録装置の第２の実施の形態のブロック図である。
【図５】図４により記録されたランドプリピットブロックの一実施の形態の構成を示す図である。
【図６】図４中の訂正符号生成手段２２の一例の回路系統図
【図７】図６の動作説明用タイミングチャートである。
【図８】図４により記録されたランドプリピットの再生情報の順番等を示す図である。
【図９】線形巡回訂正符号の性質を説明する図である。
【図１０】ランドプリピットが記録された光ディスクの一例を示す一部拡大平面模式図である。
【図１１】ランドプリピットによるコードデータ値とそれに割り当てられた情報とを説明する図である。
【図１２】光ディスクに記録されるセクタとランドプリピットとの関係を示す図である。
【図１３】従来のランドプリピットブロックの一例の構成図である。
【図１４】ランドプリピットブロックの他の例の構成図である。
【符号の説明】
【００５３】
１１、２１  同期生成手段
１２  記録情報入力端子
１３  情報識別情報生成手段
１４、２３、３１、３４  加算器
１５、２４  記録変調手段
１６、２５  記録手段
３０、３８、３９  ２入力ＮＡＮＤ回路
３２  ２入力ＡＮＤ回路
３３、３５〜３７  １ビットレジスタ
４１、４５、５１、５７  プリピット同期情報（Ｓ.Ｃ）
４２、５２、５８  第１の記録情報
４３、５４、５８、６１  識別情報
４４、５５  第２の記録情報
５３、５６、５９、６３  パリティ
６２  データ（記録情報）
【図１】
2008299987.tif 000003
【図２】
2008299987.tif 000004
【図３】
2008299987.tif 000005
【図４】
2008299987.tif 000006
【図５】
2008299987.tif 000007
【図６】
2008299987.tif 000008
【図７】
2008299987.tif 000009
【図８】
2008299987.tif 000010
【図９】
2008299987.tif 000011
【図１０】
2008299987.tif 000012
【図１１】
2008299987.tif 000013
【図１２】
2008299987.tif 000014
【図１３】
2008299987.tif 000015
【図１４】
2008299987.tif 000016